(57)【要約】【課題】スピーカーユニット（振動板）の振動が、吊り下げ部材などの他の部分に伝達されるのを抑制し、忠実な音響再生を実現するスピーカーユニットの支持構造および音響装置を提供する。【解決手段】スピーカーユニット１が、吊り下げ棒２を介して吊り下げ部材３に吊り下げられる。吊り下げ棒２が吊り下げ部材３に振動伝達抑制材４を介して支持される。スピーカーユニット１の振動板１ａが下向きに設けられている。【選択図】  図１
2019036878.tif 000002
【特許請求の範囲】
【請求項１】
スピーカーユニットと、このスピーカーユニットが吊り下げられる吊り下げ部材と、前記スピーカーユニットから前記吊り下げ部材への振動伝達を抑制する振動伝達抑制手段とを備えること、
前記スピーカーユニットは、振動板が下向き又は上向きになるように前記吊り下げ部材に吊り下げられていること、
を特徴とするスピーカーユニットの支持構造。
【請求項２】
前記スピーカーユニットに、前記スピーカーユニットの不要振動を減衰する錘が設けられている、請求項１に記載のスピーカーユニットの支持構造。
【請求項３】
上端部が前記吊り下げ部材に設けられ前記スピーカーユニットを下端部に保持するユニット保持部材をさらに備え、
前記ユニット保持部材は、ねじ棒部分を有し、
前記ユニット保持部材は、前記吊り下げ部の上側において、前記吊り下げ部に対し前記スピーカーユニットの上下位置が１つ若しくは複数のナットによって位置調整可能に固定されている、請求項１又は２に記載のスピーカーユニットの支持構造。
【請求項４】
上端部が前記吊り下げ部材に設けられ前記スピーカーユニットを下端部に保持するユニット保持部材をさらに備え、
前記振動伝達抑制手段は、前記ユニット保持部材の上端部と前記吊り下げ部材との間に設けられる振動伝達抑制材である、請求項１記載のスピーカーユニットの支持構造。
【請求項５】
上端部が前記吊り下げ部材に設けられ前記スピーカーユニットを下端部に保持するユニット保持部材をさらに備え、
前記ユニット保持部材は、上端部に前記吊り下げ部材が挿入される被挿入部を有し、
前記振動伝達抑制材は、前記ユニット保持部材の上端部と前記吊り下げ部材との間に設けられている、請求項１記載のスピーカーユニットの支持構造。
【請求項６】
上端部が前記吊り下げ部材に設けられ前記スピーカーユニットを下端部に保持するユニット保持部材をさらに備え、
前記振動伝達抑制手段は、反発力が生じるように配置される複数の磁石であって、前記反発力を用いて浮き上がる磁石と共に前記ユニット保持部材を、前記吊り下げ部材より浮かせる構造となっている、請求項１記載のスピーカーユニットの支持構造。
【請求項７】
前記吊り下げ部材は、前記ユニット保持部材の上端部が設けられる吊り下げ部を有し、
前記吊り下げ部は、前記ユニット保持部材が貫通する貫通穴を有し、
前記ユニット保持部材は、前記貫通穴の周縁部に接していない状態で、吊り下げられている、請求項４又は６に記載のスピーカーユニットの支持構造。
【請求項８】
請求項１〜７のいずれか１項に記載のスピーカーユニットの支持構造を具備する、音響装置。
【発明の詳細な説明】
【技術分野】
【０００１】
本発明は、スピーカーユニットの支持構造および音響装置に関する。
【背景技術】
【０００２】
従来のスピーカーシステムでは、スピーカーユニットがスピーカー筐体に固定されているのが一般的である。スピーカーユニットの振動板はユニットフレームに固定されているため、ユニットフレームは、振動板からの振動が最も伝わる部材である。
【０００３】
そのため、前記振動板から振動がユニットフレームを経由してスピーカー筐体に伝達され、前記スピーカー筐体が変調音を発生する。さらに、スピーカー筐体に伝わった振動は、ユニットフレームを経由して振動板に戻り，振動板から変調音を発生する。それらの変調音が忠実な音響再生を阻害することになる。
【０００４】
実質的に筒形状を有し、前記筒形状の一方の底面において前記振動板の前面と背面を除いてスピーカーユニットを実質的に覆うように固着されかつ前記筒形状の他方の底面において開口部を有する構造を有するスピーカー筺体と、一端が前記スピーカーユニットのマグネットの背面に固着され延在する支持棒と、前記支持棒の他端に固着され前記支持棒を実質的に鉛直方向に保持しかつ前記マグネットを音響的にかつ仮想的に接地することにより前記マグネットから前記支持棒に伝達される振動を減衰抑圧する錘とを備えたものが提案されている（例えば、特許文献１参照）。
【先行技術文献】
【特許文献】
【０００５】
【特許文献１】特開２００１−２２４０８９号公報
【発明の概要】
【発明が解決しようとする課題】
【０００６】
しかしながら、特許文献１記載のものは、緩衝材を介してスピーカーユニット（ユニットフレーム）がスピーカー筐体に接触し支持されているため、スピーカー筐体に振動が伝達され、変調振動の発生を解決することができない。
【０００７】
本発明は、スピーカーユニット（振動板）の振動の、他の部分への伝達を抑制し、忠実な音響再生を実現するスピーカーユニットの支持構造および音響装置を提供する。
【課題を解決するための手段】
【０００８】
請求項１の発明は、スピーカーユニットと、このスピーカーユニットが吊り下げられる吊り下げ部材と、前記スピーカーユニットから前記吊り下げ部材への振動伝達を抑制する振動伝達抑制手段とを備えること、前記スピーカーユニットは、振動板が下向き又は上向きになるように前記吊り下げ部材に吊り下げられていること、を特徴とする。ここで、「下向き又は上向き」には、振動板の振動方向が鉛直方向である場合のほか、前記鉛直方向に対し傾いている場合も含まれる。
【０００９】
このようにすれば、スピーカーユニットは振動板が下向き又は上向きになるように吊り下げ部材に吊り下げられ、前記スピーカーユニットから前記吊り下げ部材への振動伝達が振動伝達抑制手段によって抑制されるようになっているので、スピーカーユニット（振動板）の揺動が抑制されるとともに、スピーカーユニットの振動が、吊り下げ部材へ伝播することが抑制される。よって、吊り下げ部材などにおける変調音の発生が回避され、忠実な音響再生が実現される。
【００１０】
請求項２に記載のように、前記スピーカーユニットに、前記スピーカーユニットの不要振動を減衰する錘が設けられている、ことが望ましい。
【００１１】
このようにすれば、錘の音響インピーダンスにより、スピーカーユニットと吊り下げ部材との間での不要振動の伝播が抑制される。さらに、スピーカーユニットの振動板の往復運動に対し、錘は、固定子として機能するので、正確な音響再生が実現される。
【００１２】
請求項３に記載のように、前記ユニット保持部材は、ねじ棒部分を有し、前記ユニット保持部材は、前記吊り下げ部の上側において、前記吊り下げ部に対し前記スピーカーユニットの上下位置が１つ若しくは複数のナットによって位置調整可能に固定されている、ことが望ましい。
【００１３】
このようにすれば、ユニット保持部材によって保持されるスピーカーユニットの上下方向の位置を、簡単に調整することができる。よって、前記位置の調整によって、スピーカーユニットのフレームが、他の構成要素に接触しスピーカーユニットの振動が伝達されるのを回避できる。
【００１４】
請求項４に記載のように、上端部が前記吊り下げ部材に設けられ前記スピーカーユニットを下端部に保持するユニット保持部材をさらに備え、前記振動伝達抑制手段は、前記ユニット保持部材の上端部と前記吊り下げ部材との間に設けられる振動伝達抑制材である、ようにすることができる。
【００１５】
このようにすれば、スピーカーユニットと吊り下げ部材との間に振動伝達抑制手段を設ける構造を簡単に実現できる。そして、スピーカーユニット（振動板）の振動が吊り下げ部材に伝達されようとしても、振動伝達抑制材によって伝達が抑制され、吊り下げ部材での変調音の発生が回避される。
【００１６】
請求項５に記載のように、上端部が前記吊り下げ部材に設けられ前記スピーカーユニットを下端部に保持するユニット保持部材をさらに備え、前記ユニット保持部材は、上端部に前記吊り下げ部材が挿入される被挿入部を有し、前記振動伝達抑制材は、前記ユニット保持部材の上端部と前記吊り下げ部材との間に設けられている、ようにすることもできる。
【００１７】
このようにすれば、ユニット保持部材の被挿入部に吊り下げ部材が挿入されることでユニット保持部材が吊り下げ部材に吊り下げられ、それらの間に振動伝達抑制材を設けるという簡単な構造によって、スピーカーユニットの振動が吊り下げ部材に伝達されるのが抑制される。
【００１８】
請求項６に記載のように、上端部が前記吊り下げ部材に設けられ前記スピーカーユニットを下端部に保持するユニット保持部材をさらに備え、前記振動伝達抑制手段は、反発力が生じるように配置される複数の磁石であって、前記反発力を用いて浮き上がる磁石と共に前記ユニット保持部材を、前記吊り下げ部材より浮かせる構造となっている、ようにすることもできる。
【００１９】
このようにすれば、スピーカーユニットと吊り下げ部材との間に設ける振動伝達抑制手段を、複数の磁石による反発力を利用することによって簡単な構造で実現できる。
【００２０】
請求項７に記載のように、前記吊り下げ部材は、前記ユニット保持部材の上端部が設けられる吊り下げ部を有し、前記吊り下げ部は、前記ユニット保持部材が貫通する貫通穴を有し、前記ユニット保持部材は、前記貫通穴の周縁部に接していない状態で、吊り下げられている、ことが望ましい。
【００２１】
このようにすれば、ユニット保持部材の上端部と吊り下げ部との接触が回避され、スピーカーユニット（振動板）の振動が吊り下げ部（吊り下げ部材）に伝達されるのが、確実に抑制される。
【００２２】
請求項８の発明は、音響装置であって、請求項１〜７のいずれか１項に記載のスピーカーユニットの支持構造を具備する、ことを特徴とする。
【００２３】
このようにすれば、変調音の発生が回避され、忠実な音響再生が実現される。
【発明の効果】
【００２４】
本発明は、振動板が下向き又は上向きになるようにスピーカーユニットを吊り下げ部材に吊り下げ、前記スピーカーユニットから前記吊り下げ部材への振動伝達が振動伝達抑制手段によって抑制するようにしているので、スピーカーユニット（振動板）の振動が、吊り下げ部材に伝達されるのを抑制し、吊り下げ部材での変調音の発生を回避できる。よって、スピーカーユニットによる、忠実な音響再生を実現することができる。
【図面の簡単な説明】
【００２５】
【図１】本発明に係るスピーカーユニットの支持構造の一実施の形態を示す説明図である。
【図２】ユニット保持部材と吊り下げ部材との関係の説明図である。
【図３】前記支持構造の別の実施の形態を示す図である。
【図４】前記支持構造のさらに別の実施の形態を示す図である。
【図５】スピーカーユニットと取付板との関係を示す説明図である。
【図６】吊り下げ部材の別の実施の形態を示す図である。
【図７】音響装置等の内部に設ける場合の実施の形態を示す図である。
【図８】（ａ）（ｂ）（ｃ）（ｄ）はそれぞれ前記支持構造の他の実施の形態を示す図である。
【図９】前記支持構造の他の実施の形態を示す図である。
【図１０】（ａ）（ｂ）はそれぞれ前記支持構造の他の実施の形態を示す図である。
【図１１】前記支持構造の、さらに他の実施の形態を示す図である。
【図１２】（ａ）は振動伝達抑制手段として利用できる磁石ユニットを示す図、（ｂ）（ｃ）はそれぞれ、前記磁石ユニットを利用する場合の実施の形態を示す図である。
【発明を実施するための形態】
【００２６】
以下、本発明の実施の形態を図面に沿って説明する。
【００２７】
図１は本発明に係るスピーカーユニットの支持構造の一実施の形態を示す説明図、図２はユニット保持部材と吊り下げ部材との関係の説明図である。
【００２８】
図１に示すように、スピーカーユニット１が、ボルト形状の吊り下げ棒２（ユニット保持部材）を介して吊り下げ部材３に吊り下げることで支持される構造であり、この実施の形態では天井埋込型スピーカー（音響装置）に適用している。つまり、このスピーカーは、スピーカーユニット１、吊り下げ棒２および吊り下げ部材３を少なくとも有する。
【００２９】
スピーカーユニット１は、振動板１ａが下向きになるように吊り下げ部材３に吊り下げられ、スピーカーユニット１と吊り下げ部材３との間に振動伝達抑制材４（振動伝達抑制手段）が配置されている。ここで、振動伝達抑制材４は、吊り下げ部３ｂと吊り下げ棒２との間での振動の伝達を抑制するものであれば制限なく、例えばゲルを用いることができる。そのほか、ゴム、フェルト、ウレタンスポンジ、気泡緩衝材（２枚のポリエチレンシートから成り、一方のシートを成型した円柱状の突起の中に空気を閉じ込め、その空気圧で緩衝材の機能を実現しているもの、例えばプチプチ（登録商標））などの緩衝材を、振動伝達抑制部材として用いることもできるし、また、制振金属（例えば、Ｄ２０５２（登録商標））を用いてもよい。「振動板１ａが下向きになるように吊り下げ部材３に吊り下げられ」とは、スピーカーユニット１が吊り下げられていることから、スピーカーユニット１の支持方向とスピーカーユニット１の振動板１ａの振動方向とは同一であることになるが、スピーカーユニット１の中心軸線が鉛直方向である必要はなく、鉛直方向に対し傾いて吊り下げられていてもよい。
【００３０】
スピーカーユニット１を、振動板１ａが下向きになるように、振動伝達抑制材４を挟んで吊り下げ支持する構造としているので、吊り下げ部材３が、スピーカーユニット１の重量を、振動伝達抑制材４を挟んで受ける。よって、スピーカーユニット１のフレーム１ｂ（ユニットフレーム）から吊り下げ部材３側へ振動が伝達されるのが、振動伝達経路の途中に配置される振動伝達抑制材４によって抑制される。つまり、振動伝達抑制材４を設けることで、その設けた部分においてフレーム１ｂから吊り下げ部材３側への振動伝達が遮断される。
【００３１】
吊り下げ部材３は、鉛直方向に延びる２つの柱部３ａ，３ａと、それらの上端を結合し水平方向に延びる板状の吊り下げ部３ｂとを備える門形形状で、両柱部３ａ，３ａの下端が取付板７に対し取り付けられている。吊り下げ部材３は、スピーカーユニット１から取付板７への振動伝達経路に物理的な距離を与えることにより、取付板７に伝わる振動を減衰する。したがって、吊り下げ部材３は、高い内部損失性と、スピーカーユニット１を支持する剛性を持つ素材であることが望ましい。
【００３２】
なお、吊り下げ部材は、柱部と吊り下げ部とを一体構造とすることもできる。また、柱部３ａ，３ａは、下端を取付板７に結合せず、設置ルームの天井板などに結合することにより支持させる構造とすることも可能である。
【００３３】
スピーカーユニット１は、振動板１ａに固定されているボイスコイル（図示せず）が磁気回路１ｃ内に置かれ、音声電流が流れることによって振動板１ａを運動（振動）させ、音波（粗密波）を発生する。振動板１ａや磁気回路１ｃはフレーム１ｂに取り付けられている。なお、この実施の形態では、スピーカーユニット１が吊り下げ部材３を介して取り付けられた取付板７を、天井に設けた取付穴を塞ぐように取り付けることで、天井埋込型スピーカーとしている。なお、１ｄはボイスキャップである。
【００３４】
また、スピーカーユニット１のフレーム部分は、フランジ部１ｂａが取付板７の下側に位置するように設けられ、フランジ部１ｂａと取付板７の貫通穴７ａの周縁との間には遮音材５が設けられ、それらの間からの音漏れを防止するようになっている。この遮音材５は、スピーカーユニット１の重量を支持するものではないため、振動伝達抑制材４に求められるような物理的強度を必要としない。つまり、取付板７はスピーカーユニット１の重量を支持する構造ではないので、スピーカーユニット１の振動は、吊り下げ部材３側だけでなく、取付板７側に伝達されるのも抑制される。よって、スピーカーユニット１による、忠実な音響再生を実現する上でより有利となる。
【００３５】
遮音材５としては、密着性、柔軟性、振動を伝達しない性質を併せ持つ素材が適しており、材質は特に制限されない。例えば、布、ゲル、発泡ウレタン、ゴム、皮、フェルトなどを用いることができる。なお、遮音材は省くことも可能である。
【００３６】
スピーカーユニット１は、スピーカーユニット１を下端部に保持する吊り下げ棒２を介して吊り下げ部材３に吊り下げることで支持される。つまり、振り子に類似する支持構造であり、吊り下げ部３ｂにおいて、一箇所（支点）で支持されている。また、吊り下げ棒２は、図２に示すように、ねじ棒部分を有するボルトで、下端に錘６（スタビライザー）を挟んでスピーカーユニット１が設けられている。この錘６は、スピーカーユニット１の不要振動を減衰するための重量体で、スピーカーユニット１に設けられている。なお、本構造では、ユニットフレームでスピーカーユニット１にかかる重量を支持しないため、ユニットフレームの強度を考慮せず、錘６を重くすることができる。
【００３７】
このように、錘６や磁気回路１ｃを吊り下げ棒２の下端部で保持すると、安定な支持構造となり、スピーカーユニット１の不要振動を抑制する上で有利なレイアウトとすることができる。
【００３８】
吊り下げ棒２の上側部分は、吊り下げ部３ｂを貫通し、吊り下げ部３ｂの上側において、２つのナット１１，１１と平ワッシャ１２とを用いて、吊り下げ部３ｂに取り付けられている。平ワッシャ１２と吊り下げ部３ｂとの間には、シート状の振動伝達抑制材４（例えば、ゲル）が挟まれている。ここで、平ワッシャ１２は、吊り下げ棒２（ユニット保持部材）の受け体として機能している。
【００３９】
吊り下げ部３ｂの貫通穴の穴径は、吊り下げ棒２のねじ径よりも大きくなるように形成されている。これにより、吊り下げ部３ｂの貫通穴の周縁には吊り下げ棒２が接触しなくなるので、浮遊した状態で取り付けられていることになる。よって、吊り下げ棒２（スピーカーユニット１）から吊り下げ部３ｂへの振動の伝達が、振動伝達抑制材４によって遮断（あるいは緩和）される。
【００４０】
ねじ棒２に対する、ナット１１，１１の位置を調節することで、スピーカーユニット１の上下位置を調整し、固定することができる。また、吊り下げ棒２の下端ねじ部分の、錘６に挿入する長さを調整することによっても、スピーカーユニット１の上下位置を調整することができる。
【００４１】
吊り下げ部材３と吊り下げ棒２との間に、シート状の振動伝達抑制材４が設けられているので、スピーカーユニット１と吊り下げ棒２との複合体の振動系と、取付板７と吊り下げ部材３との複合体の振動系とを分離することができる。つまり、スピーカーユニット１と吊り下げ棒２との複合体の振動が、吊り下げ部材３や取付板７に伝達されることや、取付板７と吊り下げ部材３との複合体の振動が、吊り下げ棒２やスピーカーユニット１に伝達されることが抑制され、忠実な音響再生が実現される。
【００４２】
また、振動伝達抑制材４を用いているので、吊り下げ部材３と吊り下げ棒２とを強固に固定せず、振り子のように動く可動性を確保して、機械的ストレスによる付帯音の発生が抑制されるようにしている。
【００４３】
このように、スピーカーユニット１を保持する吊り下げ棒２が、吊り下げ部材３に振動伝達抑制材４を介して吊り下げ支持され、スピーカーユニット１の振動板１ａが下向きとなるように支持されているので、スピーカーユニット１からの振動が吊り下げ部材３へ伝達されるのが抑制され、吊り下げ部材３などの他の部分での変調音の発生が抑制され、忠実な音響再生が実現される。
【００４４】
ところで、スピーカーユニット１において、音声電流に応じた電磁力がボイスコイルに発生するとき、作用反作用の法則に従い、逆向きの力が磁気回路１ｃに発生する。したがって、前記ボイスコイルが結合した振動板１ａを忠実に振幅運動させるためには、磁気回路１ｃを空間的に固定する必要がある。そこで、重量体である錘６（スタビライザー）を固定子として磁気回路１ｃに近接して設けることで、忠実な振動板１ａの運動を可能にしている。錘６は、比重が高いことと、固有振動が少ない素材であることが望ましい。さらに、磁気回路１ｃの働きを阻害しないように、非磁性体であることも正確な音響再生には肝要である。したがって、錘６は、真鍮、鉛、石、樹脂等やそれらの複合素材を単一にもしくは組み合わせて用いることが望ましい。錘６は、スピーカーユニット１の後部に密着させて設けることが望ましいが、スピーカーユニット１から離して設けてもよい。また、錘６とスピーカーユニット１との間にゲルなどの振動伝達抑制材を挿入することもできる。
【００４５】
さらに錘6は、振動伝播を抑制する効果を持つ。錘６が配置されていない場合、スピーカーユニット１の振動は、磁気回路１ｃを経由して吊り下げ棒２に伝播する。しかし、高い音響インピーダンスを持つ錘６を設けることにより、吊り下げ棒２への振動の伝播を抑制している。特に、錘６を磁気回路１ｃに近接して配置することは、振動伝播の範囲を最小限にとどめる効果がある。錘６により、吊り下げ棒２への不要振動の伝播が抑制されるので、吊り下げ棒２による変調音の発生が効果的に減弱される。
【００４６】
この錘６は、振動伝達抑制材４による振動抑制効果との相乗効果により、取付板７への振動伝達を効果的に抑制する。なお、磁気回路１ｃを構成する磁石が十分に重ければ、前記磁石を錘として利用することで振動減衰効果が期待できるので、そのような場合には錘６（重量体）を省いたり、小さくしたりすることも可能である。
【００４７】
また、２つのナット１１，１１により、スピーカーユニット１の上下位置を調整することができるので、取付板７からスピーカーユニット１を確実に離し、取付板７がスピーカーユニット１の重量を支持しない構造にできる。よって、スピーカーユニット１の振動が取付板７側に伝達されるのも抑制でき、忠実な音響再生が実現される上でより有利な構造になる。
【００４８】
本発明は、前述した実施の形態に制限されるものではなく、次のように変更して実施することも可能である。
【００４９】
(i) 錘（重量体）と吊り下げ棒（吊り下げ部材）とは別体にする必要はなく、それらを一体に形成した構造体として使用することも可能である。一体に形成すれば、錘と吊り下げ棒の接合部に生じる機械的ストレスを排除し、変調音の発生を抑制することが可能になる。さらに一体形成は量産化に有利に働く。
【００５０】
(ii)吊り下げ棒は、上側部分も含めて全体がねじ棒（ボルト）である必要はなく、例えば図３に示すように、頭部２ａを有する丸棒状の吊り下げ棒２’で、下端部を錘６にねじ込んだり、差し込んだり、接着して錘６に固定されるようにすることも可能である。また、ゲルなどの振動吸収材で形成された吊り下げ棒を用いることにより、振動伝達抑制手段を形成することもできる。
【００５１】
また、ねじ棒を利用した高さ調節機構を利用しない場合には、図３に示すように、両柱部材３ａそれぞれの途中に、ねじ機構のほか、ターンバックル、スライド機構などを利用した高さ調節機構９を設けることも可能である。つまり、柱部材３ａの長さを調節する機構を設けることもできる。
【００５２】
(iii)振動伝達抑制手段は、ゲルなどの振動伝達抑制材とする必要はなく、振動の伝達を抑制（あるいは遮断）できる構造とすることも可能である。例えば図４に示すように、吊り下げ棒２と吊り下げ部３ｂとを、２つの磁石１３Ａ，１３Ｂによる反発力を利用して空間的に遊離させ、浮遊した状態で取り付けることで、振動伝達抑制手段を形成することができる。この場合、下側の磁石１３Ｂの下面１３Ｂｂ（例えば、Ｓ極）が吊り下げ部３ｂの上面に面接触し、下側の磁石１３Ｂの上面１３Ｂａ（例えば、Ｎ極）と上側の磁石１３Ａの下面１３Ａｂ（例えば、Ｎ極）との間に反発力が生じて、上側の磁石１３Ａと共に吊り下げ棒２（ボルト）およびナット１１，１１が、吊り下げ部３ｂａや下側の磁石１３Ｂに対して浮遊して非接触状態になっている。吊り下げ棒２は、ナット１１，１１を介して上側の磁石１３Ａの上面１３Ａａ上に、スピーカーユニット１の上下高さの調節が可能な形で支持されている。また、磁石の反発力を利用して振動伝達抑制手段を形成する場合、２つの磁石を上下に配置する場合に限らず、複数の磁石を、反発力が生じるように配置することもできる。さらに、磁石１３Ａ，１３Ｂに代えて、１つあるいは複数のスプリングを用い、前記１つあるいは複数のスプリングを平ワッシャ１２と吊り下げ部３ｂとの間に挟み込み、吊り下げ棒２と吊り下げ部３ｂとを、空間的に遊離させる振動伝達抑制手段を形成することもできる。
【００５３】
(iv)スピーカーユニット１のフレーム１ｂのフランジ部１ｂａは、取付板７の下側に配置する必要はなく、取付板７の上側にフレーム１ｂのフランジ部１ｂａを配置したり、例えば図５に示すように、取付板７と、フレーム１ｂのフランジ部１ｂａとを同一高さとすることもできる。その場合、遮音材５’は、図５において、実線、一点鎖線や二点鎖線で示すように、フランジ部１ｂａと取付板７とを結合するように設ければよい。
【００５４】
(v)スピーカーユニット１を吊り下げる吊り下げ部材の形状・構造も、スピーカーユニット１を支持できるものであれば、特に制限されない。例えば図６に示すように、天井板部３ｃを有する円筒形状の吊り下げ部材３’とすることも可能である。また、吊り下げ部材を四角筒形状などの多角筒形状や半球形状とすることも可能である。
【００５５】
(vi)テレビなどの音響装置内に設置する場合には、機器内の構造要素（例えば内部に突出している要素）を吊り下げ部として利用できれば、吊り下げ部材を、２つの柱部を省略して、吊り下げ部のみで形成することも可能である。つまり、前記構造要素を吊り下げ部として、吊り下げ棒を用いて吊り下げる構造とすることができる。例えば図７に示すように、側壁部１４から内方に突出する突出板部１４ａ（構造要素）を、吊り下げ部（吊り下げ部材）として利用することができる。
【００５６】
(vii) 住居等の建築物内に設置する場合、建築物内の構造要素（水平に取り付けられている建材等）を吊り下げ部として利用できる場合にも、２つの柱部を省略して吊り下げ部のみで、吊り下げ部材を形成することも可能である。
【００５７】
(viii)ユニット保持部材は、ボルト状の吊り下げ棒２に限定されない。例えば、ユニット保持部材として、吊り下げ機能を有する線材を用いることもできる。具体的には、例えば図８（ａ）に示すように、線材からなるユニット保持部材２Ａの上端をリング状の係止部２Ａａ（被挿入部）とし、その係止部２Ａａを平板状（若しくは棒状や線状）の吊り下げ部３ｂを挿入し、係止部２Ａａと吊り下げ部３ｂとの間に振動伝達抑制材４を挟装することで(あるいは振動伝達抑制材を挟装せずに)、ユニット保持部材２Ａの上端部である係止部２Ａａが吊り下げ部３ｂに取り付けられるようにすることができる。また、振動伝達抑制材４を用いることなく、点接触や線接触となるように接触面積を小さくして、ユニット保持部材２Ｂ，２Ｃを支持することにより、ユニット保持部材２Ｂ，２Ｃから吊り下げ部３ｂ'，３ｂ''への振動伝達を抑制することもできる。その場合には、例えば図８（ｂ）に示すように、ユニット保持部材２Ｂの上端部をリング状の係止部２Ｂａとして、線状（あるいは棒状）の吊り下げ部３ｂ'の凹み３ｂａ’に点接触させたり、例えば図８（ｃ）に示すように、ユニット保持部材２Ｃの上端部をフック状の係止部２Ｃａとして、係止部２Ｃａの先端が板状の吊り下げ部３ｂ''のくぼみ３ｂａ''に嵌まり込み点接触となるようにすればよい。これらの場合には、いずれも、吊り下げ部３ｂ〜３ｂ''に貫通穴を設けない構造となる。また、図８（ｄ）に示すように、板状の吊り下げ部３ｂに、下方になるほど系が小さくなるテーパを有する貫通穴３ｂａを設け、球状の係止部２Ｄａ（ユニット保持部材２Ｄ）を貫通穴３ｂａの内面に線接触状態で係止させるようにすることもできる。
【００５８】
(ix)ユニット保持部材（吊り下げ棒２）を省略することも可能である。例えば図９に示すように、吊り下げ部３ｂ'を丸棒状（あるいは多面体棒状）とし、錘６'の部分において回転可能となるように、かつ線接触するように吊り下げた構造とすることができる。この場合には、スピーカーユニット１から吊り下げ部３ｂ’（吊り下げ部材）への振動伝達を抑制する振動伝達抑制手段は、吊り下げ部３ｂ’と錘６’との線接触構造で形成される。
【００５９】
(x)また、例えば図１０（ａ）に示すように、錘６を振動伝達抑制材４'を介して直接吊り下げ部３ｂにボルト８，８にて取り付けることも可能である。また、振動伝達抑制手段は、スピーカーユニット１と吊り下げ部材３との間に設ける必要はなく、吊り上げ部材３の一部（途中）に設けることも可能である。例えば図１０（ｂ）示すように、吊り下げ部３ｂと、柱部３ａ，３ａとの間に、それらが直接に接触しないように振動伝達抑制材４（振動伝達抑制手段）を設けるようにすることも可能である。
【００６０】
(xi)スピーカーユニット１と吊り下げ部材３とを取り囲む筐体を備える構造にすれば、前記筐体を利用して設けることで、いろいろな場所に設置することが可能となる。例えば、床置き用の音響装置としたり、壁掛け用の音響装置としたりすることができる。
【００６１】
(xii)スピーカーユニット１は、振動板１ａを下向きに設ける場合に限定されない．例えば図１１に示すように、スピーカーユニット１の磁気回路１に設けられたフェーズプラグ１ｅに下端部を結合する吊り下げ棒２により、スピーカーユニット１を、振動板１ａが上向きになるように設けることもできる。この場合、スピーカーユニット１は、取付板となる天井板部７Ａａを有する筐体７Ａ内に収納される。また、吊り下げ棒２は、フェーズプラグ以外の部材を介してスピーカーユニット１の磁気回路１ｃに結合することも可能であるし、スピーカーユニット１の磁気回路１ｃに直接結合することも可能である。
(xiii)図４に示す構造では、吊り下げ棒２が貫通する中心穴を有する磁石１３Ａ，１３Ｂを用いて振動伝達抑制手段を形成しているが、吊り下げ棒２が貫通する中心穴を有しない磁石を用いて振動伝達抑制手段を形成することもできる。例えば、図１２（ａ）に示すように、中心穴を有しない磁石１３Ａ'，１３Ｂ'の外側に、磁石１３Ａ'，１３Ｂ'の軸芯がずれずそれらの位置関係が安定するようにハウジング１３Ｃに設けてなる磁石ユニット１３を、振動伝達抑制手段として用いることも可能である。そのような磁石ユニット１３を用いれば、磁石ユニット１３を、図１２（ｂ）に示すように、係止部２Ａａと吊り下げ部３ｂとの間に設けたり、図１２（ｃ）に示すように、平ワッシャ１２’の外径を大きくして吊り下げ棒２の周囲において平ワッシャ１２’と吊り下げ部３ｂとの間に複数個設けたりして、スピーカーユニットから吊り下げ部材への振動伝達を抑制する構造とすることもできる。また、図４に示す構造の場合も、２つの磁石１３Ａ，１３Ｂを保護するために、それらの外側に筒状のハウジング１３Ｃを設けることもできるのはいうまでもない。尚、磁石は、永久磁石のほか、電磁石を用いることも可能である。
【産業上の利用可能性】
【００６２】
本発明は、天井埋込型スピーカー、壁設置型スピーカー、テレビなどの家電製品の内蔵スピーカー、電子オルガンなどの電子楽器の内蔵スピーカー、電車や車などの乗り物の車内スピーカーとしても利用することができる。また、病院、集合商業施設、飲食店などの公共的施設で忠実な音声や楽音を提供するのに利用される。
【符号の説明】
【００６３】
１  スピーカーユニット
１ａ  振動板
１ｂ  フレーム
１ｂａ  フランジ部
１ｃ  磁気回路
２，２’  吊り下げ棒（ユニット保持部材）
２Ａ，２Ｂ，２Ｃ，２Ｄ  ユニット保持部材
２Ａａ，２Ｂａ，２Ｃａ，２Ｄａ  係止部
３，３’  吊り下げ部材
３ａ  柱部
３ｂ，３ｂ'、３ｂ''  吊り下げ部
４  振動伝達抑制材
５，５’  遮音材
６，６’  錘
７  取付板
７ａ  貫通穴
７Ａ  筐体
７Ａａ  天井板部
８  ボルト
９  高さ調節機構
１１  ナット
１２，１２'  平ワッシャ
１３  磁石ユニット
１３Ａ，１３Ａ'，１３Ｂ，１３Ｂ'  磁石
１３Ａａ，１３Ｂａ  上面
１３Ａｂ，１３Ｂｂ  下面
１４  側壁部
１４ａ  突出板部
【図１】
2019036878.tif 000003
【図２】
2019036878.tif 000004
【図３】
2019036878.tif 000005
【図４】
2019036878.tif 000006
【図５】
2019036878.tif 000007
【図６】
2019036878.tif 000008
【図７】
2019036878.tif 000009
【図８】
2019036878.tif 000010
【図９】
2019036878.tif 000011
【図１０】
2019036878.tif 000012
【図１１】
2019036878.tif 000013
【図１２】
2019036878.tif 000014
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
スピーカーユニットと、このスピーカーユニットが吊り下げられる吊り下げ部材と、前記スピーカーユニットから前記吊り下げ部材への振動伝達を抑制する振動伝達抑制手段とを備え、
前記スピーカーユニットは、振動板が下向き又は上向きになるように前記吊り下げ部材に吊り下げられ、
上端部が前記吊り下げ部材に設けられ前記スピーカーユニットを下端部に保持するユニット保持部材をさらに備え、
前記ユニット保持部材は、ねじ棒部分を有し、
前記ユニット保持部材は、前記吊り下げ部材の上側において、前記吊り下げ部材に対し前記スピーカーユニットの上下位置が１つ若しくは複数のナットによって位置調整可能に固定されている、ことを特徴とするスピーカーユニットの支持構造。
【請求項２】
スピーカーユニットと、このスピーカーユニットが吊り下げられる吊り下げ部材と、前記スピーカーユニットから前記吊り下げ部材への振動伝達を抑制する振動伝達抑制手段とを備え、
前記スピーカーユニットは、振動板が下向き又は上向きになるように前記吊り下げ部材に吊り下げられ、
上端部が前記吊り下げ部材に設けられ前記スピーカーユニットを下端部に保持するユニット保持部材をさらに備え、
前記振動伝達抑制手段は、前記ユニット保持部材の上端部と前記吊り下げ部材との間に設けられる振動伝達抑制材である、ことを特徴とするスピーカーユニットの支持構造。
【請求項３】
スピーカーユニットと、このスピーカーユニットが吊り下げられる吊り下げ部材と、前記スピーカーユニットから前記吊り下げ部材への振動伝達を抑制する振動伝達抑制手段とを備え、
前記スピーカーユニットは、振動板が下向き又は上向きになるように前記吊り下げ部材に吊り下げられ、
上端部が前記吊り下げ部材に設けられ前記スピーカーユニットを下端部に保持するユニット保持部材をさらに備え、
前記ユニット保持部材は、上端部に前記吊り下げ部材が挿入される被挿入部を有し、
前記振動伝達抑制手段は、前記ユニット保持部材の上端部と前記吊り下げ部材との間に設けられている、ことを特徴とするスピーカーユニットの支持構造。
【請求項４】
スピーカーユニットと、このスピーカーユニットが吊り下げられる吊り下げ部材と、前記スピーカーユニットから前記吊り下げ部材への振動伝達を抑制する振動伝達抑制手段とを備え、
前記スピーカーユニットは、振動板が下向き又は上向きになるように前記吊り下げ部材に吊り下げられ、
上端部が前記吊り下げ部材に設けられ前記スピーカーユニットを下端部に保持するユニット保持部材をさらに備え、
前記振動伝達抑制手段は、反発力が生じるように配置される複数の磁石であって、前記反発力を用いて浮き上がる磁石と共に前記ユニット保持部材を、前記吊り下げ部材より浮かせる構造となっている、ことを特徴とするスピーカーユニットの支持構造。
【請求項５】
前記吊り下げ部材は、前記ユニット保持部材の上端部が設けられる吊り下げ部を有し、
前記吊り下げ部は、前記ユニット保持部材が貫通する貫通穴を有し、
前記ユニット保持部材は、前記貫通穴の周縁部に接していない状態で、吊り下げられている、請求項２又は４に記載のスピーカーユニットの支持構造。
【請求項６】
前記スピーカーユニットに、前記スピーカーユニットの不要振動を減衰する錘が設けられている、請求項１〜５のいずれか１項に記載のスピーカーユニットの支持構造。
【請求項７】
請求項１〜６のいずれか１項に記載のスピーカーユニットの支持構造を具備する、音響装置。
【手続補正２】
【補正対象書類名】明細書
【補正対象項目名】０００８
【補正方法】変更
【補正の内容】
【０００８】
請求項１の発明は、スピーカーユニットと、このスピーカーユニットが吊り下げられる吊り下げ部材と、前記スピーカーユニットから前記吊り下げ部材への振動伝達を抑制する振動伝達抑制手段とを備え、前記スピーカーユニットは、振動板が下向き又は上向きになるように前記吊り下げ部材に吊り下げられ、上端部が前記吊り下げ部材に設けられ前記スピーカーユニットを下端部に保持するユニット保持部材をさらに備え、前記ユニット保持部材は、ねじ棒部分を有し、前記ユニット保持部材は、前記吊り下げ部材の上側において、前記吊り下げ部材に対し前記スピーカーユニットの上下位置が１つ若しくは複数のナットによって位置調整可能に固定されている、ことを特徴とする。ここで、「下向き又は上向き」には、振動板の振動方向が鉛直方向である場合のほか、前記鉛直方向に対し傾いている場合も含まれる。
【手続補正３】
【補正対象書類名】明細書
【補正対象項目名】０００９
【補正方法】変更
【補正の内容】
【０００９】
このようにすれば、スピーカーユニットは振動板が下向き又は上向きになるように吊り下げ部材に吊り下げられ、前記スピーカーユニットから前記吊り下げ部材への振動伝達が振動伝達抑制手段によって抑制されるようになっているので、スピーカーユニット（振動板）の揺動が抑制されるとともに、スピーカーユニットの振動が、吊り下げ部材へ伝播することが抑制される。よって、吊り下げ部材などにおける変調音の発生が回避され、忠実
な音響再生が実現される。
また、ユニット保持部材によって保持されるスピーカーユニットの上下方向の位置を、簡単に調整することができる。よって、前記位置の調整によって、スピーカーユニットのフレームが、他の構成要素に接触しスピーカーユニットの振動が伝達されるのを回避できる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項２の発明は、スピーカーユニットと、このスピーカーユニットが吊り下げられる吊り下げ部材と、前記スピーカーユニットから前記吊り下げ部材への振動伝達を抑制する振動伝達抑制手段とを備え、前記スピーカーユニットは、振動板が下向き又は上向きになるように前記吊り下げ部材に吊り下げられ、上端部が前記吊り下げ部材に設けられ前記スピーカーユニットを下端部に保持するユニット保持部材をさらに備え、前記振動伝達抑制手段は、前記ユニット保持部材の上端部と前記吊り下げ部材との間に設けられる振動伝達抑制材である、ことを特徴とする。
【手続補正９】
【補正対象書類名】明細書
【補正対象項目名】００１６
【補正方法】変更
【補正の内容】
【００１６】
請求項３の発明は、スピーカーユニットと、このスピーカーユニットが吊り下げられる吊り下げ部材と、前記スピーカーユニットから前記吊り下げ部材への振動伝達を抑制する振動伝達抑制手段とを備え、前記スピーカーユニットは、振動板が下向き又は上向きになるように前記吊り下げ部材に吊り下げられ、上端部が前記吊り下げ部材に設けられ前記スピーカーユニットを下端部に保持するユニット保持部材をさらに備え、前記ユニット保持部材は、上端部に前記吊り下げ部材が挿入される被挿入部を有し、前記振動伝達抑制手段は、前記ユニット保持部材の上端部と前記吊り下げ部材との間に設けられている、ことを特徴とする。
【手続補正１０】
【補正対象書類名】明細書
【補正対象項目名】００１７
【補正方法】変更
【補正の内容】
【００１７】
このようにすれば、ユニット保持部材の被挿入部に吊り下げ部材が挿入されることでユニット保持部材が吊り下げ部材に吊り下げられ、それらの間に振動伝達抑制手段を設けるという簡単な構造によって、スピーカーユニットの振動が吊り下げ部材に伝達されるのが抑制される。
【手続補正１１】
【補正対象書類名】明細書
【補正対象項目名】００１８
【補正方法】変更
【補正の内容】
【００１８】
請求項４の発明は、スピーカーユニットと、このスピーカーユニットが吊り下げられる吊り下げ部材と、前記スピーカーユニットから前記吊り下げ部材への振動伝達を抑制する振動伝達抑制手段とを備え、前記スピーカーユニットは、振動板が下向き又は上向きになるように前記吊り下げ部材に吊り下げられ、上端部が前記吊り下げ部材に設けられ前記スピーカーユニットを下端部に保持するユニット保持部材をさらに備え、前記振動伝達抑制手段は、反発力が生じるように配置される複数の磁石であって、前記反発力を用いて浮き上がる磁石と共に前記ユニット保持部材を、前記吊り下げ部材より浮かせる構造となっている、ことを特徴とする。
【手続補正１２】
【補正対象書類名】明細書
【補正対象項目名】００２０
【補正方法】変更
【補正の内容】
【００２０】
請求項２又は４に記載のスピーカーユニットの支持構造にするために、請求項５に記載のように、前記吊り下げ部材は、前記ユニット保持部材の上端部が設けられる吊り下げ部を有し、前記吊り下げ部は、前記ユニット保持部材が貫通する貫通穴を有し、前記ユニット保持部材は、前記貫通穴の周縁部に接していない状態で、吊り下げられている、ことが望ましい。
【手続補正１３】
【補正対象書類名】明細書
【補正対象項目名】００２２
【補正方法】変更
【補正の内容】
【００２２】
請求項６に記載のように、前記スピーカーユニットに、前記スピーカーユニットの不要振動を減衰する錘が設けられている、ことが望ましい。
このようにすれば、錘の音響インピーダンスにより、スピーカーユニットと吊り下げ部材との間での不要振動の伝播が抑制される。さらに、スピーカーユニットの振動板の往復運動に対し、錘は、固定子として機能するので、正確な音響再生が実現される。
請求項７の発明は、音響装置であって、請求項１〜６のいずれか１項に記載のスピーカーユニットの支持構造を具備する、ことを特徴とする。
【手続補正１４】
【補正対象書類名】明細書
【補正対象項目名】００５２
【補正方法】変更
【補正の内容】
【００５２】
(iii)振動伝達抑制手段は、ゲルなどの振動伝達抑制材とする必要はなく、振動の伝達
を抑制（あるいは遮断）できる構造とすることも可能である。例えば図４に示すように、
吊り下げ棒２と吊り下げ部３ｂとを、２つの磁石１３Ａ，１３Ｂによる反発力を利用して空間的に遊離させ、浮遊した状態で取り付けることで、振動伝達抑制手段を形成することができる。この場合、下側の磁石１３Ｂの下面１３Ｂｂ（例えば、Ｓ極）が吊り下げ部３ｂの上面に面接触し、下側の磁石１３Ｂの上面１３Ｂａ（例えば、Ｎ極）と上側の磁石１３Ａの下面１３Ａｂ（例えば、Ｎ極）との間に反発力が生じて、上側の磁石１３Ａと共に吊り下げ棒２（ボルト）およびナット１１，１１が、吊り下げ部３ｂや下側の磁石１３Ｂに対して浮遊して非接触状態になっている。吊り下げ棒２は、ナット１１，１１を介して上側の磁石１３Ａの上面１３Ａａ上に、スピーカーユニット１の上下高さの調節が可能な形で支持されている。また、磁石の反発力を利用して振動伝達抑制手段を形成する場合、２つの磁石を上下に配置する場合に限らず、複数の磁石を、反発力が生じるように配置することもできる。さらに、磁石１３Ａ，１３Ｂに代えて、１つあるいは複数のスプリングを用い、前記１つあるいは複数のスプリングを平ワッシャ１２と吊り下げ部３ｂとの間に挟み込み、吊り下げ棒２と吊り下げ部３ｂとを、空間的に遊離させる振動伝達抑制手段を形成することもできる。